(57)【要約】  中央開口部を有するディスクを固定するための閉塞容器は、基体部と回動可能なカバーを備えている。ディスクを固定する２つの部分からなるロゼットは、ディスクの中央開口部に係合するように寸法を定められた弧状の外周面を有する、直立し、円周状に離間して基体部に設けられた少なくとも２つのセグメントを備える第１の部分と、基体部の前記セグメントの中央にあたるカバーの位置から半径方向に延在する少なくとも２つの細長状の直立するリブを備える第２の部分とを有している。カバーのリブの数は基体部のセグメントの数に対応している。カバーのリブは、閉塞容器が閉じられたときに、半径方向内方に前記セグメントの第１の部分に入り込むように配置され寸法を定められている。このときこれらのリブは、対応する弧状セグメントの半径方向の内面に接しており、これによって前記弧状セグメントが破損しないように強化している。
2007527346.tif 000002
【特許請求の範囲】
【請求項１】
中央開口部を有する少なくとも１枚のディスク形状の要素を固定し、かつ保存するための閉塞容器であって、
前記閉塞容器は、
中央に開口部が形成されたディスク形状要素を収容するための第１の領域を有する略平面状の基体部と；
略平面状のカバーと；
前記基体部及びカバーを、閉塞容器の開位置と閉位置との間で回動できるように、前記基体部及びカバーを回動可能に接続している背部パネルと；
前記少なくとも１つのディスク形状の要素を前記閉塞容器の中に固定するための２つの部分からなるロゼットと；
を備え、
前記ロゼットは、
前記基体部の前記領域の中央に位置する第１の部分であって、ディスク形状の要素の中央開口部に、その中央開口部の周りの円周状に離間された位置で係合するように寸法を定められた弧状の外周面を有する、直立し、円周状に離間した少なくとも２つのセグメントを備える第１の部分と、
前記カバーに取り付けられた第２の部分であって、前記基体部の前記領域の中央にあたる前記カバーの位置から半径方向に延在する少なくとも２つの細長状の直立するリブを備える第２の部分と、
を備え、
前記カバーのリブの数は前記基体部のセグメントの数に対応し、前記リブは、閉塞容器が閉じられたときに、前記カバーのリブが前記第１の部分の前記セグメントの半径方向内方に前記第１の部分に入り込むとともに、それぞれの前記リブの半径方向最外端が、対応する弧状セグメントの半径方向の内面に接し、前記弧状セグメントを半径方向外方に付勢するように、配置され寸法を定められて、ディスク形状の要素が前記第１の領域の前記弧状セグメントに取り付けられたときに前記ディスク形状の要素をより良好に保持する閉塞容器。
【請求項２】
３つのセグメント及び３つのリブを備えることを特徴とする請求項１に記載の閉塞容器。
【請求項３】
前記セグメントは、前記第１の領域の中央に起立するハブに取り付けられていることを特徴とする請求項１に記載の閉塞容器。
【請求項４】
前記リブは、前記カバーに起立するハブに取り付けられていることを特徴とする請求項１に記載の閉塞容器。
【請求項５】
半径方向外方に延在する突起部を前記セグメントの上部外終端に沿って備えていることを特徴とする請求項１に記載の閉塞容器。
【請求項６】
前記第１の領域は、ディスク形状の要素の直径よりわずかに大きい直径寸法を有する前記基体部から起立する、連続する、又は間欠する円周状リムによって形成されていることを特徴とする、請求項１に記載の閉塞容器。
【請求項７】
前記起立する円周状リム及び前記基体部の中に形成され、前記第１の領域と連通する少なくとも一の指状凹部を備えていることを特徴とする、請求項６に記載の閉塞容器。
【請求項８】
前記背部に沿った周端以外の、前記基体部及びカバーの周端に沿って前記基体部及びカバー上に起立する周縁リムを備え、前記カバー及び基体部のうちの一方の前記リムは、断面Ｃ字状の雌側受容部を形成し、前記基体部及びカバーのうちの他方は、断面雄形凸部を形成し、前記閉塞容器が閉じられたときに、前記雌雄の受容部／凸部が互いにスナップ嵌合の形態で係合することを特徴とする請求項１に記載の閉塞容器。
【請求項９】
前記カバーは、中央に開口部が形成されたディスクを収容するための第２の領域を備え、
前記カバーの前記リブは前記第２の領域内の中央に配置されており、
前記第２の領域は、前記閉塞容器が閉じられたときに、前記第１の領域と位置合わせされ、
前記第２の部分は、ディスク形状の要素の前記中央開口部に、ディスク形状の要素の前記中央開口部の周りの円周状に離間した位置で係合するような寸法とされた、弧状外周面を有する少なくとも２つの直立し、円周状に離間されたセグメントを備え、
前記セグメントは前記カバーの前記リブの半径方向外向きに前記第２の領域に配置され、
前記第１の部分は、前記カバーの前記第２の領域の中央にあたる前記基体部の位置から半径方向に延在する少なくとも２つの細長状の直立するリブを備え、
前記基体部のリブの数は前記カバーのセグメントの数に対応し、
前記基体部の前記リブは、閉塞容器が閉じられたときに、前記基体部とカバーの弧状セグメントとが互いに接することがないように、また、前記基体部の前記リブが、前記第２の部分の前記セグメントの半径方向内方に、前記第２の部分に前記カバーの前記リブに接することなく、入り込むとともに、ディスク形状の要素が前記第２の領域の前記弧状セグメントに取り付けられたときに、前記基体部のそれぞれの前記リブの半径方向最外端が、前記カバーの対応する弧状セグメントの半径方向の内面に接し、前記弧状セグメントを半径方向外方に付勢するように、配置され寸法を定められて前記ディスク形状の要素をより良好に保持し、それによって、前記閉塞容器が、中央開口部を有する少なくとも２枚のディスク形状の要素を固定し、保存することが可能であることを特徴とする、請求項１に記載の閉塞容器。
【請求項１０】
３つのセグメントと３つのリブを前記基体部及びカバーに備えることを特徴とする請求項９に記載の閉塞容器。
【請求項１１】
前記カバー及び前記基体部の弧状セグメントは、互いに相対的に配置され、閉塞容器が閉位置にあるときに、前記カバーの前記弧状セグメントが前記基体部の前記弧状セグメントの間に配置されることを特徴とする、請求項９に記載の閉塞容器。
【請求項１２】
前記基体部の前記セグメント及び前記リブは、前記第１の領域の中央にある起立したハブの上に取り付けられていることを特徴とする請求項９に記載の閉塞容器。
【請求項１３】
前記カバーの前記セグメント及び前記リブは、前記第２の領域の中央にある起立したハブの上に取り付けられていることを特徴とする請求項９に記載の閉塞容器。
【請求項１４】
前記基体部及び前記カバーの前記セグメントの上部外周端に沿って、半径方向外側に延在する突起部を備えることを特徴とする請求項９に記載の閉塞容器。
【請求項１５】
前記第１及び第２の領域は、それぞれ前記基体部及びカバーから起立する連続する、または間欠する円周状のリムによって形成され、前記リムはディスク形状の要素の直径よりわずかに大きい直径寸法を有することを特徴とする請求項９に記載の閉塞容器。
【請求項１６】
前記直立する円周状リムと、前記基体部及びカバーそれぞれとの中に形成され、前記第１及び第２の領域にそれぞれ連通する少なくとも一の指状凹部を備えることを特徴とする請求項１４に記載の閉塞容器。
【発明の詳細な説明】
【技術分野】
【０００１】
本出願は、現在係属中の２００４年３月５日に出願された米国仮出願第６０／５５０６５４に基づく出願である。
【０００２】
本発明は、一般的にデジタル的にコード化されたディスクを収容し、保存するための閉塞容器に関し、より具体的には、このようなディスクをそのような閉塞容器内に保存するための改良されたディスク固定手段に関する。
【背景技術】
【０００３】
様々な型の平面状ディスクが現在情報を記録し保存するために使用されており、これらの情報は、光学的な、もしくは磁気的な方法のような様々な方法によって再生される。このようなディスクの典型的なものはコンパクトディスク及びＤＶＤディスク（以降において一般的にＣＤという）であり、これらのＣＤ上に情報がレーザビームの使用によってデジタル的に記録され、次いでレーザビームによって光学的に読み取られる。これらのディスクは、音楽の演奏のような音響情報、読み取り専用として使用される視覚的イメージ及びデジタル情報のようなビデオ情報、及びコンピュータアプリケーションのような様々な用途に使用される他のメモリーを記憶するために使用されている。現状では、ほとんどの場合において、このようなディスクはディスク上に既に情報が記録された状態で販売されている。別の用途においては、このようなディスクは情報が記録されていない状態で販売され、顧客によって情報を記録するために使用されている。例えば、後者の場合には、光ディスクはコンピュータの保存媒体として使用するために販売され、ハードディスク保存システムで使用される。どちらのケースにおいても、そのようなディスクの表面内または表面上の光学的な欠陥が、ディスク上に保存された情報の記録及び再生の両方を妨害する。従って、そのようなディスクの保存、移動、及び使用には、そのようないかなる欠陥も生じないように注意が必要である。本明細書で使用される際には、コンパクトディスク又はＣＤという用語は、いかなるサイズであれ、すべての既知の、又は提案された使用のためのそのようなディスクのすべてを意味している。
【０００４】
レーザで記録された情報を含むコンパクトディスクは、通常、１枚以上のＣＤを保持してこれらのＣＤを保存及び出荷中保護するように設計された閉塞容器の中にパッケージされる。現在普通に使用される閉塞容器は、基体部もしくは底部要素、例えば、ディスクの中央の孔部の周囲に係合する（通常“ロゼット（ｒｏｓｅｔｔｅ）”と称される）中央突起部によって基体部要素／底部要素の中にディスクを位置決めし、保持するための基体部要素／底部要素への挿入部、及び、基体部要素／底部要素にヒンジで結合され、ディスクが基体部要素／底部要素の中のトレー上に載置された後に基体部要素／底部要素の上で閉められる蓋部又はカバーからなる３個のアセンブリを備えている。別の閉塞容器は、挿入部を除いて２つの部分だけを使用し、基体部要素／底部要素上に直接形成された中央突起部を介してディスクを位置決めしつつ、保持している。典型的には、閉塞容器は、少なくとも部分的に透明であり、ディスクに関係し、商標及び販売促進用の情報を含む文字記号が通常、閉塞容器を通して見えるような方法で挿入されている。別のＣＤパッケージの形態では、ＣＤを収容し、保持するための基体部から突出するロゼットを有するトレーが厚紙の部品に取り付けられ、この厚紙がトレーの上で折りたたまれてＣＤを収容している。
【０００５】
ＣＤの容器の、少なくともＣＤを収容し保持する要素が射出成形によって形成されることが一般的になってきている。結果として、ロゼットは、一体に成形される基体部またはトレーと同じプラスティック材料で形成されている。基体部及び／又はトレー要素と、従ってロゼットとは、歴史的に着色した熱可塑性の成形樹脂から作製されていた。この成形樹脂は、ＣＤを取り付ける際に生じる力、及び出荷と取り扱いの間に与えられる力に耐えるように十分な耐衝撃性を有している。近年、容器を結晶性ポリスチレンのようなより透明性の高いプラスティック材料から形成されることが要請されてきている。そのような材料は閉塞容器をより魅力的に、そして文字記号及び販売促進用の材料をより読みやすくするが、以前に使用された熱可塑性プラスティックよりもろく、簡単にばらばらになってしまい、閉塞容器とその取り付け用ロゼットによってディスクによる保護機能が大幅に低下していた。
【０００６】
従って、これまでの既存のＣＤ用閉塞容器の一定の特徴を、例えば、出荷の間の、又は落下させた場合の損傷を避けるように耐衝撃性を改善することによって、改良することが要請されてきている。これらと同じ理由で、パッケージのロゼットにディスクをよりうまく保持させることが要請されてきている。また、出荷コストを削減し、小売スペースを一定に保つために、パッケージの、特に複数のディスク用のパッケージの全体を薄く設計し、製造することが望ましい。
【０００７】
しかし、これらの問題を解決するためのこれまでの努力は、最終的なパッケージを満足なものにはできない、又はロゼットを特にＣＤ用閉塞容器に使用するのに望ましいものとはできないといった、一以上の欠点を有するものとなっている。これは、従来技術のＣＤパッケージ、特にロゼットが複雑な構成であり、よって製造が非経済的である、又は使用に際して受け入れがたいほど壊れやすく、信頼性が無く、ディスクの担持表面の情報を破損する実質的な危険をもたらすからである。よって、製造が簡単で、経費がかからず、安全なディスクの取り付け及び取り外しができるように構成され、ディスクの情報担持表面の破損の危険をもたらすことの無いＣＤパッケージのための使いやすいロゼットに対する必要性がある。また、材料コストを削減し、小売スペースを一定に保つとともに出荷コストを削減するための、薄く、軽いパッケージ全体、特に複数のディスク用のパッケージに対する必要性がある。
【発明の開示】
【発明が解決しようとする課題】
【０００８】
従って、使いやすく、相対的に製造に経費がかからないＣＤ閉塞容器を提供することが本発明の主な目的である。
【０００９】
また、材料コストを削減でき、小売スペースを一定に保つとともに出荷コストを削減するための、従来の閉塞容器より薄く、かつ軽い、ＣＤ用の閉塞容器を提供することが本発明の目的である。
【００１０】
ディスクを閉塞容器の中に保持するための改良された保持手段を有するＣＤ用閉塞容器を提供することが本発明の別の一の目的である。
【００１１】
また、ＣＤの取り付け、及び取り外しにかかる力に耐えるために十分な耐衝撃性を有する、改良されたディスク保持手段を有する、薄いＣＤ用閉塞容器を提供することが本発明の別の一の目的である。
【００１２】
さらに、薄いにもかかわらず、出荷の間の、及び落下のときの破損を回避するために十分な耐衝撃性を有する改良されたディスク保持手段を有するＣＤ閉塞容器を提供することが本発明の別の一の目的である。
【課題を解決するための手段】
【００１３】
前述の及び他の目的は、中央開口部を有する、少なくとも１枚のディスク状の要素を固定し保存するための閉塞容器を提供することによる本発明に従って達成され、前記閉塞容器は、中央に開口部が形成されたディスク形状要素を収容するための第１の領域を有する略平面状の基体部と；略平面状のカバーと；前記基体部及びカバーを閉塞容器の開位置と閉位置との間で回動できるように、前記基体部及びカバーに回動可能に接続された背部パネルと；前記少なくとも１つのディスク形状の要素を前記閉塞容器の中に固定するための２つの部分からなるロゼットと；を備え、前記ロゼットは、前記基体部の前記領域の中央に位置する第１の部分であって、ディスク形状の要素の中央開口部に、その中央開口部の周りの円周状に離間された位置で係合するように寸法を定められた弧状の外周面を有する、直立し、円周状に離間した少なくとも２つのセグメントを備える第１の部分と、前記カバーに取り付けられた第２の部分であって、前記基体部の前記領域の中央にあたる前記カバーの位置から半径方向に延在する少なくとも２つの細長状の直立するリブを備える第２の部分とを備え、前記カバーのリブの数は前記基体部のセグメントの数に対応し、前記リブは、閉塞容器が閉じられたときに、前記カバーのリブが前記第１の部分の前記セグメントの半径方向内方に形成された前記第１の部分に入り込むとともに、それぞれの前記リブの半径方向最外端が、対応する弧状セグメントの半径方向の内面に接し、前記弧状セグメントを半径方向外方に付勢するように、配置され寸法を定められて、ディスク形状の要素が前記第１の領域の前記弧状セグメントに取り付けられたときに前記ディスク形状の要素をより強固に保持している。
【００１４】
本発明の別の形態においては、中央開口部を有する少なくとも２枚のディスク形状の要素を固定し、保存するための閉塞容器が提供され、この閉塞容器は少なくとも１枚のディスク形状の要素を固定し、保存するための閉塞容器の全ての特徴を備え、前記カバーは、中央に開口部が形成されたディスクを収容するための第２の領域を備え、前記カバーの前記リブは前記第２の領域の中に配置されており、前記第２の領域は、前記閉塞容器が閉じられたときに、前記第１の領域と位置合わせされ、前記第２の部分は、ディスク形状の要素の前記中央開口部に、ディスク形状の要素の前記中央開口部の周りの円周状に離間した位置で係合するために寸法を定められた、弧状外周面を有する少なくとも２つの直立し、円周状に離間されたセグメントを備え、前記セグメントは前記カバーの前記リブの半径方向外向きに形成された前記第２の領域に配置され、前記第１の部分は、前記カバーの前記第２の領域の中央にあたる前記基体部の位置から半径方向に延在する少なくとも２つの細長状の直立するリブを備え、前記基体部のリブの数は前記カバーのセグメントの数に対応し、前記基体部の前記リブは、閉塞容器が閉じられたときに、前記基体部とカバーの弧状セグメントが互いに接することなく、前記基体部のリブが前記第２の部分の前記セグメントの半径方向内方に形成された前記第２の部分に、前記カバーの前記リブに接することなく、入り込むとともに、前記基体部のそれぞれの前記リブの半径方向最外端が、前記カバーの対応する弧状セグメントの半径方向の内面に接し、前記弧状セグメントを半径方向外方に付勢するように、配置され寸法を定められて、ディスク形状の要素が前記第２の領域の前記弧状セグメントに取り付けられたときに、前記ディスク形状の要素をより良好に保持している。
【発明を実施するための最良の形態】
【００１５】
本発明は、図１〜３，５、及び７ａ、ｂ、ｃに開示された実施形態において、非常に薄い、ＣＤ又はＤＶＤディスク（図示せず）のような、１枚の媒体ディスクのためのクラムシェル型パッケージ１０を備え、該パッケージ１０は、背部パネル１６によって分離した基体部１２及びカバー１４を備え、背部パネル１６は、この背部パネル１６と基体部１２及びカバー１４との間に一体蝶番１８，２０を有し、基体部１２及びカバー１４は開及び閉の位置の間で回動することができる。直立した円形状のリム２２は、連続的もしくは間欠的であってよく、基体部から起立し、ディスクの直径よりわずかに大きい寸法の直径を有し、ディスクがロゼット２４に取り付けられたときにディスクの周端部を保護し、ロゼット２４は、直立する円形状のリム２２の中心部に配置された、突起するハブ２５から起立している。リム２２の直径方向に対向する一以上の“隅部”には窪んだ指状凹部２６が形成され、ロゼット２４に取り付けられたディスクのリムへの指による接触部を提供している。直立した周縁リム２８，３０は、それぞれ、基体部及びカバーから、背部の端部以外のすべての周辺端部に起立している。望ましくは、少なくとも基体部のリム２８の部分の断面形状は、図３からわかるように、Ｃ字形状の雌側受容部３２を提供し、カバーのリム３０の図２に示す断面雄形凸部３４を収容する。雌雄の受容部／凸部３２，３４は、パッケージ１０が閉じられたときに、スナップ嵌合の形態で係合する。代替的に、パッケージ１０が閉じられたときに、基体部１２及びカバー１４が係合するための別の既知の手段を使用することができる。
【００１６】
本発明の一の特徴は、基体部１２から起立し、３つの離間して円周状に直立した弧状部材３６，３８，４０からなるロゼット２４にあり、これら弧状部材はディスク中央の孔部の中に収容されるとともに、これら弧状部材３６，３８，４０の上部外側端部に沿って、半径方向外側に延在する突起部４２を有し、この突起部２４がディスクをロゼット上に保持している。ロゼット２４の直径は、ディスクがロゼット上で回転できるように、ディスク中央部の孔部の直径よりわずかに小さい。ロゼットの反対側のカバー１４の内部には、基体部とカバーとが閉じた状態にあるときにロゼット２４の内部５０に係合する、カバー１４に取り付けられるとともに起立するハブ４９から突出する、３つのリブ形状部４４，４６，４８があり、これら係合リブ形状部４４，４６，４８は３つの直立する弧状部材３６，３８，４０に係合する。図７ｃに示されるように、それぞれのリブの半径方向の最外端４４ａ，４６ａ，４８ａが対応する弧状の直立部材の半径方向の内面３６ａ，３８ａ，４０ａに接触するように寸法が定められ、直立部材を補強し、支持して、ディスクを収容しているパッケージがその端部で落下したときに部分的に、又は完全に破壊しないようにされている。直立する弧状部材に接触するリブは、ロゼットを補強するとともに強度を与え、出荷の間及び落下したときにロゼットが破壊しないように保護し、万一、カバー又は基体部の中央に大きな力が加わった場合にディスクが破砕されないようにしている。リブ及び弧状部材は直立する周縁リム２８，３０より高く、周縁リムが係合してパッケージを閉じるときに、リブと部材が互いに係合できるようにされている。
【００１７】
図２〜４、６及び８ａ，ｂ，ｃに図示するように、２枚のディスク１００のための、第二の実施形態においては、基体部及びカバーのそれぞれの構造は、部分的には１枚のディスク用のパッケージの基体部及びカバーの構造と同様である。従って、同様の要素は、同様の符号で示されている。主な相違点は、基体部１２（図８ａ参照）に、円周状に離間された３つの直立する弧状部材１０６，１０８，１１０と、これら弧状部材１０６，１０８，１１０の間に形成された略円形状の領域内に配置された３つのリブ１１８，１２０，１２２とを備えるロゼット１０２がある点である。また、カバー１４（図８ｂ参照）には、３つの弧状部材１１２，１１４，１１６と、これら弧状部材１１２，１１４，１１６の間に形成される略円形状の領域内に配置された３つのリブ１２４，１２６，１２８とを備えるロゼット１０４がある。３つの直立した弧状部材及び３つのリブが、カバー１２及び基体部１４それぞれの上に実質的に同じ方向に配置され、カバー１２及び基体部１４のうちの一方を一体蝶番１８，２０の周りに回転することによってパッケージを閉じたときに、基体部及びカバーの３つの直立した弧状部材が、カバー１２及び基体部１４の中の弧状部材の間の隙間（谷部）１３０，１３２にそれぞれ位置合わせされ、それぞれ嵌合する（図８ｃ参照）ということは注目に値する。同時に、基体部１２及びカバー１４のリブは、カバー１２及び基体部１４のリブが互いに接触しないように、それぞれ、反対側のロゼット１０４，１０２に入る。ロゼットの高さがパッケージ全体の高さに不利な影響を与えないので、弧状部材及びリブの嵌合は、全体的に薄いパッケージ１００を設計できるという利点を有している。さらに、１枚のディスク用のパッケージと同様に、嵌合の特徴は、ロゼットに出荷時の頑丈さと耐衝撃性との増強という追加的な強度を付加している。
【００１８】
図８ａ、ｂ、ｃを参照すると、パッケージ１００を閉じたときに、それぞれの基体部のリブ１１８，１２０，１２２の半径方向の最外端１１８ａ，１２０ａ，１２２ａが、対応するカバーの弧状の直立部材１１２，１１４，１１６の半径方向の内面１１２ａ，１１４ａ，１１６ａに接触し、カバーの直立部材１１２，１１４，１１６を補強し、支持して、ディスクを収容しているパッケージがその端部で落下したときに部分的に、又は完全に破壊しないように寸法が決められている。また、それぞれのカバーのリブ１２４，１２６，１２８の半径方向の最外端１２４ａ，１２６ａ，１２８ａが、対応する基体部の弧状の直立部材１０６，１０８，１１０の半径方向の内面１０６ａ，１０８ａ，１１０ａに接触し、基体部の直立部材１０６，１０８，１１０を補強し、支持して、ディスクを収容しているパッケージがその端部で落下したときに部分的に、又は完全に破壊しないようにされている。弧状の直立部材に接触しているリブは、ロゼットに強度を付加し、ロゼットを出荷中の破損に対して保護するとともに、大きな力がカバーもしくは基体部の中央部に加わったときにディスクが破損しないようにしている。１枚のディスク用のパッケージと同様に、リブ及び弧状部材は直立する周縁リム２８，３０より高く、周縁リム２８，３０が係合してパッケージを閉じるときに、基体部及びカバーのロゼット上のディスク同士が接触することなく、リブと部材が互いに係合できるようにされている。
【００１９】
好ましい実施形態においては、それぞれの弧状部材の中心はロゼットの周りに１２０度の間隔を置いて配置され、対応するリブは互いに１２０度の角度で形成されている。しかし、本発明は、それぞれのロゼットが３つの弧状部材と３つのリブを備えるように限定される訳ではない。むしろ、本発明はそれぞれのロゼットが少なくとも２つの弧状部材と対応する数のリブとを備えることを意図している。弧状部材はロゼットの周りに等間隔を離間し、対応するリブは等間隔を離間していることが最も望ましい。
【００２０】
本発明は、その特定の実施形態の形で記述されてきたが、請求の範囲に特定されている以外は、構成又は設計の詳細になんら限定を意図するものではないことが理解されるであろう。
【図面の簡単な説明】
【００２１】
【図１】本発明の１枚のディスク用パッケージの一の実施形態の正面図である。
【図２】図１の線２−２に沿った断面図である。
【図３】図１の線３−３に沿った断面図である。
【図４】本発明の２枚のディスク用パッケージの一の実施形態の正面図である。
【図５】本発明の１枚のディスク用パッケージの斜視図である。
【図６】本発明の２枚のディスク用パッケージの一の実施形態の斜視図である。
【図７ａ】本発明の１枚のディスク用パッケージの一の実施形態の基体部ハブ及びロゼットの正面図である。
【図７ｂ】本発明の１枚のディスク用パッケージの一の実施形態のカバー部ハブ及びリブの外形の正面図である。
【図７ｃ】１枚のディスク用パッケージが閉じられた後の互いに係合した基体部ハブとロゼット、及びカバー部ハブとリブの外形の正面図である。
【図８ａ】本発明の２枚のディスク用パッケージの一の実施形態の基体部ハブ及びロゼットの正面図である。
【図８ｂ】本発明の１枚のディスク用パッケージの一の実施形態のカバー部ハブ及びリブの外形の正面図である。
【図８ｃ】２枚のディスク用パッケージが閉じられた後の互いに係合した基体部ハブとロゼット、及びカバー部ハブとリブの外形の正面図である。
【符号の説明】
【００２２】
１０、１００・・・閉塞容器
１２・・・基体部
１４・・・カバー
１６・・・背部パネル
２２・・・円周状リム
２４、１０２、１０４・・・ロゼット
２５、４９・・・ハブ
２６・・・指状凹部
２８、３０・・・周縁リム
３２・・・雌側受容部
３４・・・雄形凹部
３６、３８、４０、１０６、１０８、１１０、１１２、１１４、１１６・・・弧状部材（セグメント）
４２・・・突起部
４４、４６、４８、１１８、１２０、１２２、１２４、１２６、１２８・・・リブ
【図１】
2007527346.tif 000003
【図２】
2007527346.tif 000004
【図３】
2007527346.tif 000005
【図４】
2007527346.tif 000006
【図５】
2007527346.tif 000007
【図６】
2007527346.tif 000008
【図７ａ】
2007527346.tif 000009
【図７ｂ】
2007527346.tif 000010
【図７ｃ】
2007527346.tif 000011
【図８ａ】
2007527346.tif 000012
【図８ｂ】
2007527346.tif 000013
【図８ｃ】
2007527346.tif 000014
【国際調査報告】
2007527346.tif 000015
2007527346.tif 000016
2007527346.tif 000017